(57)【要約】【課題】従来よりも信頼性を向上させた換気空調システム及び換気空調方法を提供する。【解決手段】換気空調システム１０Ａは、通常運転と非常運転とを切替自在に構成され、屋内の所定空間を換気空調するシステムであり、通常運転時に冷水４５が供給される配管系統３７と、非常運転時に外気を遮断して屋内の空気を循環させるダクト系統２１とを具備し、ダクト系統２１は、冷水４５より凝固点温度が高い蓄熱材４０が充填され、通常運転時に冷水４５と熱交換して冷熱を蓄熱する蓄熱槽３９を備え、非常運転時には蓄熱槽３９に蓄熱した冷熱を所定空間へ供給される空気に吸熱させる第１の熱交換部２５と、第１の熱交換部２５が熱交換した空気を所定空間へ送り出しダクト系統２１で循環させる循環ファン２３と、所定空間からの排気の熱を屋外へ放熱し第１の熱交換部２５へ導く第２の熱交換部２６Ａを備える。【選択図】  図１
2012072975.tif 000002
【特許請求の範囲】
【請求項１】
常用電源により稼動する通常運転と、前記常用電源が使用できない場合に使用される非常用電源により稼動する非常運転とで運転状態を切り替え可能に構成され、建屋内の所定空間を換気空調する換気空調システムにおいて、
前記通常運転時に使用され、常用冷凍機から常用冷凍機冷水ポンプによって冷水が供給される第１の系統と、
前記非常運転時に使用され、前記所定空間への外気の侵入を遮断すると共に前記建屋内の空気を循環させて供給する第２の系統と、を具備し、
前記第２の系統は、前記第１の系統に供給される冷水よりも凝固点温度が高い蓄熱材が充填された蓄熱槽を備え、前記通常運転時に前記冷水を導入して熱交換を行ない前記蓄熱槽に冷熱を蓄熱する一方、前記非常運転時には前記所定空間に供給される空気と熱交換して前記蓄熱槽に蓄熱した冷熱を前記所定空間に供給される空気に吸熱させる第１の熱交換部と、
この第１の熱交換部が熱交換した空気を前記所定空間へ送り出し、前記第２の系統内で前記空気を循環させる循環ファンと、
前記所定空間からの排気された空気の熱を前記建屋の外へ放熱し、放熱後の空気を前記第１の熱交換部へ導く前記第２の熱交換部と、を備えることを特徴とする換気空調システム。
【請求項２】
前記第２の系統は、前記空気が循環する経路上となる前記所定空間内に、内部に熱源を収容する熱源体をさらに備え、
前記熱源体は、前記所定空間から空気を導入し、導入した空気を内部に通風して前記熱源との熱交換によって前記熱源を冷却する一方、前記熱源体との熱交換によって吸熱した空気を前記第２の熱交換部へ排気するように構成されたことを特徴とする請求項１記載の換気空調システム。
【請求項３】
前記非常運転時に使用され、前記所定空間への外気の侵入を遮断すると共に前記建屋内の空気を循環させて供給する前記第２の系統とは独立した前記第３の系統をさらに具備し、
前記第３の系統は、前記第１の系統に供給される冷水よりも凝固点温度が高い蓄熱材が充填された蓄熱槽を備え、前記通常運転時に前記冷水を導入して熱交換を行ない前記蓄熱槽に冷熱を蓄熱する一方、前記非常運転時には前記所定空間に供給される空気と熱交換して前記蓄熱槽に蓄熱した冷熱を前記所定空間に供給される空気に吸熱させる第３の熱交換部と、
この第３の熱交換部が熱交換した空気を前記所定空間へ送り出し、前記第３の系統内で前記空気を循環させる循環ファンと、を備えることを特徴とする請求項１又は２記載の換気空調システム。
【請求項４】
前記第２の系統は、内部に熱源を収容する熱源体が設置された前記所定空間内へ空気を送気し、送気された空気を前記熱源体の内部に通風して前記熱源との熱交換によって前記熱源を冷却する一方、前記熱源体との熱交換によって吸熱した空気を前記第２の熱交換部へ排気するように前記空気の循環経路が構成される一方、
前記第３の系統は、前記所定空間内へ空気を送気し、前記熱源体の内部を通風せずに前記所定空間外へ排気された空気が前記第３の熱交換部へ導かれるように前記空気の循環経路が構成されることを特徴とする請求項３記載の換気空調システム。
【請求項５】
前記所定空間内へ前記空気を供給する供給口の吹き出し先が前記通風口となる位置に前記熱源体を、配置することを特徴とする請求項４に記載の換気空調システム。
【請求項６】
前記蓄熱槽は、貯水および排水可能に構成されることを特徴とする請求項１乃至５の何れか１項に記載の換気空調システム。
【請求項７】
前記第２の熱交換部は、その熱交換要素が水中に敷設されることを特徴とする請求項１乃至６の何れか１項に記載の換気空調システム。
【請求項８】
常用電源により稼動する通常運転と、前記常用電源が使用できない場合に使用される非常用電源により稼動する非常運転とで運転状態を切り替え可能に構成され、建屋内の所定空間を換気空調する換気空調システムにより行なう換気空調方法であって、
第１の熱交換部が、前記通常運転時には、前記通常運転時に使用される第１の系統から供給される冷水よりも凝固点温度が高い蓄熱材が充填された蓄熱槽に前記冷水を導入して熱交換を行ない前記蓄熱槽に冷熱を蓄熱するステップと、
前記非常運転時に切り替わった場合、第１の熱交換部が前記所定空間へ供給する空気と熱交換して前記蓄熱槽に蓄熱した冷熱を前記所定空間へ供給する空気に吸熱させるステップと、
循環ファンが、前記第１の熱交換部で熱交換された空気を前記所定空間へ供給して循環させるステップと、
前記第２の熱交換部が前記所定空間からの排気された空気の熱を前記建屋の外へ放熱し、放熱後の空気を前記第１の熱交換部へ導くステップと、を備えることを特徴とする換気空調方法。
【発明の詳細な説明】
【技術分野】
【０００１】
本発明は、非常時に外気導入を遮断して室内空気を再循環させる換気空調システムおよび換気空調方法に関する。
【背景技術】
【０００２】
従来、原子力発電所における中央制御室の換気空調システムは、常用および非常用電源に接続されたファン・冷凍機に加え、フィルタ・ダクト等から構成された設備であり、非常時においては、非常用電源を動力として、室内に冷却空気を供給し室内の熱負荷を除去し、最適な室温を継続して提供するものである。また、本設備は事故時に、運転員の保護を目的として、外気導入を遮断し、室内空気を再循環することで室内の清浄度を保つ機能を有する設備である。
【０００３】
上述のような非常用電源を動力として、室内に冷却空気を供給するように構成された換気空調システムの一例としては、例えば特開平９−３１８７８０号公報（特許文献１）に記載されるものがある。
【先行技術文献】
【特許文献】
【０００４】
【特許文献１】特開平９−３１８７８０号公報
【発明の概要】
【発明が解決しようとする課題】
【０００５】
上述したような従来の換気空調システムおよび換気空調方法では、通常運転時は常用電源で稼動しているが、非常時においては常用電源とは別の非常用電源にて稼動する動的機器であり、非常用電源がないと機能を満足できない設備である。
【０００６】
しかしながら、事故時における中央制御室の熱負荷は通常時と比較して大きく、非常時に使用する再循環系統用の冷凍機の機器容量が大きいため、非常用電源に占める冷凍機電源容量の割合は大きい。
【０００７】
また、従来の換気空調システムは、非常用電源で稼動する冷凍機等の動的機器で構成されているため、万が一の故障による機能喪失を回避する観点から予備機を複数台用意していることが通常であり、予備機を含めて多重化された非常用電源をもってしても、換気空調システムとしての機能喪失（非常用電源が１台も稼動できない）の発生を完全にゼロにすることはできない。
【０００８】
そこで、本発明は、上記の課題を考慮してなされたものであり、非常用電源を動力とする動的機器を削減することによって、換気空調システムおよび換気空調方法の信頼性の向上を図ることを目的とする。
【課題を解決するための手段】
【０００９】
本発明の実施形態に係る換気空調システムは、上述した課題を解決するため、常用電源により稼動する通常運転と、前記常用電源が使用できない場合に使用される非常用電源により稼動する非常運転とで運転状態を切り替え可能に構成され、建屋内の所定空間を換気空調する換気空調システムにおいて、前記通常運転時に使用され、常用冷凍機から常用冷凍機冷水ポンプによって冷水が供給される第１の系統と、前記非常運転時に使用され、前記所定空間への外気の侵入を遮断すると共に前記建屋内の空気を循環させて供給する前記第１の系統とは異なる第２の系統と、を具備し、前記第２の系統は、前記第１の系統に供給される冷水よりも凝固点温度が高い蓄熱材が充填された蓄熱槽を備え、前記通常運転時に前記冷水を導入して熱交換を行ない前記蓄熱槽に冷熱を蓄熱する一方、前記非常運転時には前記所定空間に供給される空気と熱交換して前記蓄熱槽に蓄熱した冷熱を前記所定空間に供給される空気に吸熱させる第１の熱交換部と、この第１の熱交換部が熱交換した空気を前記所定空間へ送り出し、前記第２の系統内で前記空気を循環させる循環ファンと、前記所定空間からの排気された空気の熱を前記建屋の外へ放熱し、放熱後の空気を前記第１の熱交換部へ導く前記第２の熱交換部と、を備えることを特徴とする。
【００１０】
本発明に係る換気空調方法は、上述した課題を解決するため、常用電源により稼動する通常運転と、前記常用電源が使用できない場合に使用される非常用電源により稼動する非常運転とで運転状態を切り替え可能に構成され、建屋内の所定空間を換気空調する換気空調システムにより行なう換気空調方法であって、第１の熱交換部が、前記通常運転時には、前記通常運転時に使用される第１の系統から供給される冷水よりも凝固点温度が高い蓄熱材が充填された蓄熱槽に前記冷水を導入して熱交換を行ない前記蓄熱槽に冷熱を蓄熱するステップと、前記非常運転時に切り替わった場合、第１の熱交換部が前記所定空間へ供給する空気と熱交換して前記蓄熱槽に蓄熱した冷熱を前記所定空間へ供給する空気に吸熱させるステップと、循環ファンが、前記第１の熱交換部で熱交換された空気を前記所定空間へ供給して循環させるステップと、前記第２の熱交換部が前記所定空間からの排気された空気の熱を前記建屋の外へ放熱し、放熱後の空気を前記第１の熱交換部へ導くステップと、を備えることを特徴とする。
【発明の効果】
【００１１】
本発明によれば、従来よりも、換気空調システムおよび換気空調方法の信頼性を向上させることができる。
【図面の簡単な説明】
【００１２】
【図１】本発明の第１の実施形態に係る換気空調システムの構成を示す概略図。
【図２】本発明の実施形態に係る換気空調システムの通常運転時（常用時）における蓄熱槽の状況を説明する説明図。
【図３】本発明の実施形態に係る換気空調システムの通常運転時以外（非常時）における蓄熱槽の状況を説明する説明図。
【図４】本発明の第２の実施形態に係る換気空調システムの構成を示す概略図。
【図５】本発明の第３の実施形態に係る換気空調システムの構成を示す概略図。
【発明を実施するための形態】
【００１３】
以下、本発明の実施形態に係る換気空調システムについて、添付の図面を参照して説明する。
【００１４】
［第１の実施形態］
図１は、本発明の第１の実施形態に係る換気空調システムの一例である換気空調システム１０Ａの構成を示す概略図である。
【００１５】
換気空調システム１０Ａは、換気空調の対象となり得る建屋内の所定空間に対して適用されるシステムであり、図１に示される換気空調システム１０Ａは、一例として、原子力発電所の中央制御室１１に対して適用される。中央制御室１１は、例えば、化粧天井１２によって室内空間１３と屋根裏空間１４とに仕切られている。
【００１６】
換気空調システム１０Ａにおける空気の流れを説明すると、まず、空気の供給口となる吹出口１６から室内空間１３に供給され、空気を内部に通風させる通風口となる給気スリット１７から制御盤１８内に給気され、さらに、ダクト１９を通って制御盤１８から屋根裏空間１４へと導かれた後、屋根裏空間１４に設置された吸気口２０から吸気される。吸気口２０と吹出口１６とはダクトで接続されており、ダクト系統２１を構成する。
【００１７】
ダクト系統２１には、空気を吹出口１６（室内空間１３）側へ送り出す循環ファン２３と、常時使用する系統（常用系）で使用される冷却コイル２４と、常用時の余剰冷凍能力を冷熱として蓄熱し、非常時には蓄えた冷熱を放出する第１の熱交換部２５と、例えばヒートパイプ等で構成され、吸気口２０から吸気された空気の熱を放熱する第２の熱交換部２６Ａとが設置される。
【００１８】
ここで、非常時とは、常用時に使用する空気を換気空調するための機器が使用できず、かつ、外気導入を遮断せざるを得ない状況である。例えば、原子力発電所の場合でいえば、放射能漏洩の可能性がある事故が発生し、放射能の侵入を防ぐために外気導入を遮断するような場合である。
【００１９】
尚、ダクト系統２１、室内空間１３、制御盤１８、ダクト１９および屋根裏空間１４で構成される空気の循環経路に示される一点鎖線の矢印（一点鎖線矢印）３１、実線の矢印（実線矢印）３２および破線の矢印（破線矢印）３３は、空気の流れおよび温度を示しており、これら三つのうち、一点鎖線矢印３１が最も低温（以下、「低温空気」と称する。）、実線矢印３２が最も高温（以下、「高温空気」と称する。）、破線矢印３３が真ん中（二番目）の温度（以下、「中温空気」と称する。）となる。
【００２０】
続いて、換気空調システム１０Ａの常用時と非常時とにおける空気の流れについて説明する。
【００２１】
まず、常用時においては、冷却コイル２４で、中温空気３３が除熱されることによって低温空気３１となる。低温空気３１は、冷却コイル２４から循環ファン２３からダクト系統２１を通じて吹出口１６へ送られ、吹出口１６から室内空間１３に供給される。制御盤１８の低部側に設けられた給気スリット１７を通して制御盤１８の内部に給気された低温空気３１は、熱源３４と熱交換される結果、熱源３４は冷却される一方、低温空気３１は吸熱して高温空気（実線矢印）３２となる。
【００２２】
すなわち、熱源３４を内部に収容する構成要素（熱源体）である制御盤１８では、熱源３４が冷却される一方で、外部へ排出される空気は熱源３４の熱を吸熱して温度上昇する結果、低温空気３１は、低温空気３１よりも高温の高温空気（実線矢印）３２となる。
【００２３】
高温空気３２は、熱源体となる制御盤１８と屋根裏空間１４とを直結するダクト１９を通って制御盤１８から屋根裏空間１４へと導かれた後、屋根裏空間１４に設置された吸気口２０から吸気され、吸気口２０から先に設置された第２の熱交換部２６Ａによって吸熱および放熱され、中温空気（破線矢印）３３となる。この中温空気３３は、冷却コイル２４へ導かれて熱交換され、自身は冷熱を吸熱して低温空気３１となる。
【００２４】
また、常用時においては、併せて、常用冷凍機３５から常用冷凍機冷水ポンプ３６によって冷水を配管系統３７に通水して第１の熱交換部２５へ供給することで、冷水と第１の熱交換部２５とが熱交換を行ない、第１の熱交換部２５に冷熱を蓄熱する。第１の熱交換部２５は、蓄熱槽３９を備え、この蓄熱槽３９には、第１の熱交換部２５に供給される冷水の温度よりも凝固点温度が高い蓄熱材４０が充填されている。従って、蓄熱槽３９は、充填された蓄熱材４０と冷水とが熱交換することによって、蓄熱材４０に冷熱を蓄熱することができる。
【００２５】
常用冷凍機３５は、プラント運転状況により定格運転されていない場合が多く、余剰冷凍能力を有効に利用することで蓄熱することが可能であり、常用冷凍機３５の冷凍能力を増大させることなく、第１の熱交換部２５への蓄熱が可能である。また、余剰冷凍能力を本システムに使用することで、常用冷凍機３５の使用効率の向上とそれに伴うランニングコストの低減が期待できる。
【００２６】
一方、非常時には、第１の熱交換部２５に中温空気３３を通風させることによって、蓄熱槽内３９の蓄熱材４０と中温空気３３とで熱交換を行ない、熱交換後の中温空気３３、すなわち、冷熱を吸熱した低温空気３１を第１の熱交換部２５から送出する。このように、第１の熱交換部２５は、非常時において動的設備を備えない静的な冷熱源となる。
【００２７】
尚、循環ファン２３についても稼動させるためには電源が必要となるが、例えば、比較的小容量な非常用発電機で対応することができる。また、循環ファン２３を人力または人力により発電した電気の供給を受けて稼動可能に構成すれば、上記非常用発電機についても削減することができる。
【００２８】
続いて、蓄熱槽３９の周辺機器の構成と、常用時および非常時における当該周辺機器の動作について説明する。
【００２９】
図２は、換気空調システム１０Ａの通常運転時（常用時）における蓄熱槽３９の状況を説明する説明図である。
【００３０】
蓄熱槽３９内には、上述の通り、蓄熱材４０を含む第１の熱交換部２５が設置されている。通常運転時は、冷水（矢印）が蓄熱槽３９内に供給される。ここで、符号４５は蓄熱槽３９内に貯まった冷水である。蓄熱槽３９内の冷水と蓄熱材４０とが熱交換を実施して、蓄熱材４０に冷熱を蓄熱する。このとき、冷水が通水する配管系統（以下、「冷水配管系統」と称する。）３７における閉止バルブ４６，４７は開放し、冷水を通水しており、エア抜きバルブ４８および水抜きバルブ４９は閉止する。また、ダクト系統２１に設置された第１の熱交換部２５の蓄熱槽３９の前後にダンパー５０，５１を設置する。通常運転時には、蓄熱槽３９と隔離するため、ダンパー５０，５１は閉止される。
【００３１】
図３は、例えば、プラント非常運転時等において行なわれる換気空調システム１０Ａの通常運転時以外（非常時）における蓄熱槽３９の状況を説明する説明図である。
【００３２】
非常運転時は、冷熱が蓄熱された蓄熱材４０を含む蓄熱槽３９内に空気（矢印）を搬送することで、搬送される空気と蓄熱材４０との間で熱交換を実施する。このとき、常時、蓄熱槽３９内は冷水４５により満水となっているため、空気を還流させることができるように、蓄熱槽３９内および冷水配管系統３７内の水抜きを実施する。
【００３３】
水抜きを実施するためには、まず、閉止バルブ４６,４７を閉止し、続いて、エア抜きバルブ４８および水抜きバルブ４９を開放する。水抜きが終了後、蓄熱槽３９前後のダクト系統２１にあるダンパー５０および５１を開放し、蓄熱槽３９内に空気を還流させる。この結果、還流させる空気と蓄熱材４０との間での熱交換が可能となる。
【００３４】
尚、図２および３を参照して説明した蓄熱槽３９およびその周辺機器である閉止バルブ４６,４７、エア抜きバルブ４８、水抜きバルブ４９およびダンパー５０，５１の動作状況は、換気空調システム１０Ａの場合を説明したが、後述する換気空調システム１０Ｂ，１０Ｃについても同様である。
【００３５】
このように、中央制御室１１に適用された換気空調システム１０Ａでは、室内空間１３に給気された低温空気３１が、中央制御室１１内の室内熱負荷のうち多くを占める制御盤１８の熱源３４から熱を除去するために、低部に設けられた給気スリット１７から制御盤１８内に給気される。制御盤１８の内部に低温空気３１を直接搬送することで、熱源３４で発生する熱負荷を効率的に除去することができる。
【００３６】
また、制御盤１８の発熱負荷を除去した排熱は、制御盤１８上部から排熱されるが、制御盤１８上部と化粧天井１２をダクト１９で直接接続することで、中央制御室１１内への放熱を防ぎ、効率的な室内空調および除熱が可能となる。
【００３７】
さらに、化粧天井１２上に放熱された排気は、ダクト系統２１の吸込口２０から循環ファン２３でダクト系統２１へ搬送される。屋根裏空間１４には、ダクト系統２１内および屋根裏空間１４からの排気である高温空気３２と屋外外気とを熱交換するヒートパイプ等の第２の熱交換部２６Ａが設置されており、熱負荷を屋外へ放熱することができる。
【００３８】
第２の熱交換部２６Ａが吸熱した高温空気３２の熱を第２の熱交換部２６Ａから屋外へ放熱することにより、蓄熱槽３９への還気温度が低くなり、蓄熱槽３９の必要冷凍能力が低減されるので、蓄熱容量の低減が可能となる。また、第２の熱交換部２６Ａで高温空気３２の熱を除熱することで、蓄熱槽３９からの単位時間当たりの放熱が抑制され、冷熱の持続時間をより長くすることができる。すなわち、冷熱持続時間の長時間化に寄与することができる。
【００３９】
また、第２の熱交換部２６Ａで除熱された還気である中温空気３３は、循環ファン２３で搬送され、再び蓄熱槽３９にて除熱されて低温空気３１となり、その後、再び中央制御室１１の室内空間１３へ送り出されことで室内空間１３の冷房が可能となり、中央制御室１１の室内空間１３を最適な室温に維持することができる。
【００４０】
また、換気空調システム１０Ａは、従来必要であった動的熱源機器としての非常用冷凍機を具備しない構成であることから、非常用冷凍機の削減に伴い、非常用冷凍機の設置スペース、コストおよび非常用電源の容量も削減できる。さらに、非常用冷凍機等の非常時に操作を要する動的設備が削減されることで、設備操作およびメンテナンスが容易になり、換気空調システムとしての信頼性を向上させることができる。
【００４１】
尚、本実施例では、原子力発電所の中央制御室１１に適用された換気空調システム１０Ａについて説明したが、非常時には外気を遮断して内部の人間の安全を確保するような他の建屋（例えば、シェルタ等）においても換気空調システム１０Ａを適用できる。
【００４２】
［第２の実施形態］
図４は、本発明の第２の実施形態に係る換気空調システムの一例である換気空調システム１０Ｂの構成を示す概略図である。
【００４３】
換気空調システム１０Ｂは、換気空調システム１０Ａに対して、第２の熱交換部２６Ａの代わりに第２の熱交換部２６Ｂを具備する点で相違するが、他の構成要素については実質的に異ならない。そこで、実質的に異ならない構成要素については、同じ符号を付して説明を省略する。
【００４４】
例えば、ヒートパイプで構成される第２の熱交換部２６Ｂは、ヒートパイプ等の熱交換要素を、例えば、海中等の水中５３まで敷設して水中に放熱できるように構成される。第２の熱交換部２６Ｂは、水中５３に放熱することで、蓄熱槽３９の必要冷凍負荷が低減されるので、蓄熱槽３９からの単位時間当たりの放熱が抑制され、蓄熱量の低減および冷熱の持続時間を延長させることができる。
【００４５】
換気空調システム１０Ｂによれば、換気空調システム１０Ａで奏する効果に加えて、換気空調システム１０Ａの第２の熱交換部２６Ａよりも、さらに、放熱効率が高い第２の熱交換部２６Ｂを具備するので、換気空調システム１０Ａよりも、蓄熱槽３９からの単位時間当たりの放熱が抑制され、蓄熱量の低減および冷熱の持続時間を延長させることができる。
【００４６】
［第３の実施形態］
図５は、本発明の第３の実施形態に係る換気空調システムの一例である換気空調システム１０Ｃの構成を示す概略図である。
【００４７】
換気空調システム１０Ｃは、換気空調システム１０Ａに対して、配管系統３７（図５に示される配管系統３７Ｘに相当）に加えて、当該冷却系統と独立した冷却系統（配管系統３７Ｙによる冷却系統）をさらに具備する点と、このうち一の冷却系統は制御盤１８を冷却し、他の冷却系統は室内空間１３を冷却するように構成される点で相違するが、他の構成要素については実質的に異ならない。そこで、実質的に異ならない構成要素については、同じ符号を付して説明を省略する。
【００４８】
換気空調システム１０Ｃは、制御盤１８を冷却する冷却系統および室内空間１３を冷却する冷却系統の二つの独立した冷却系統を具備する。
【００４９】
制御盤１８を冷却する冷却系統は、非常時には、配管系統３７Ｘに設けられる第１の熱交換部２５と第２の熱交換部２６Ａとによって空気が冷却され、低温空気３１が吹出口１６から吹出口１６の近傍に配置された給気スリット１７から制御盤１８へ導入され、制御盤１８の熱源３４と熱交換される結果、熱源３４は冷却される一方、低温空気３１は吸熱して高温空気（実線矢印）３２となる。
【００５０】
高温空気３２は、制御盤１８と屋根裏空間１４とを直結するダクト１９を通って制御盤１８から屋根裏空間１４へと導かれた後、屋根裏空間１４に設置された吸気口２０から吸気され、吸気口２０から先に設置された第２の熱交換部２６Ａによって吸熱および放熱され、中温空気（破線矢印）３３となる。この中温空気３３は、常用時には冷却コイル２４、非常時には第１の熱交換部２５へ導かれ、熱交換された後、低温空気３１となって再度吹出口１６から給気され、還流する。
【００５１】
一方、室内空間１３を冷却する冷却系統は、非常時には、配管系統３７Ｙに設けられる第１の熱交換部２５によって空気が冷却される。配管系統３７Ｙに設けられる第１の熱交換部２５によって冷却された低温空気３１は、ダクト系統５５を通って吹出口１６から室内空間１３に送られ、室内空間１３の空気と熱交換した後の高温空気（実線矢印）３２となる。高温空気（実線矢印）３２は、ダクト系統５５の吸込口２０から吸気され、常用時には配管系統３７Ｙに設けられる冷却コイル２４、非常時には配管系統３７Ｙに設けられる第１の熱交換部２５へ導かれ、熱交換された後、低温空気３１となり、ダクト系統５５を通って再度吹出口１６から室内空間１３へ給気され、還流する。
【００５２】
換気空調システム１０Ｃによれば、換気空調システム１０Ａに対して、一の冷却系統を独立した二つの冷却系統に分離することによって、換気空調システム１０Ａで奏する効果に加えて、それぞれの設計温度条件での計画が可能になるという効果がある。また、排熱負荷が大きい制御盤１８側の冷却系統にヒートパイプ等の第２の熱交換部２６Ａを設置することで、屋外へ効率的に放熱することができる。
【００５３】
尚、本発明は上記の各実施形態そのままに限定されるものではなく、実施段階ではその要旨を逸脱しない範囲で構成要素を変形して具体化しても良い。また、上記の各実施形態に開示されている複数の構成要素の適宜な組み合わせにより、種々の発明を形成できる。例えば、実施形態に示される全構成要素から幾つかの構成要素を削除しても良い。さらに、異なる実施形態にわたる構成要素を適宜組み合わせても良い。
【００５４】
例えば、換気空調システム１０Ｃにおいて、第２の熱交換部２６Ａの代わりに第２の熱交換部２６Ｂを具備する構成とすることもできる。
【符号の説明】
【００５５】
１０Ａ，１０Ｂ，１０Ｃ  換気空調システム
１１  中央制御室
１２  化粧天井
１３  室内空間
１４  屋根裏空間
１６  吹出口
１７  給気スリット
１８  制御盤
１９  ダクト
２０  吸気口
２１  ダクト系統
２３  循環ファン
２４  冷却コイル
２５  第１の熱交換部
２６Ａ，２６Ｂ  第２の熱交換部
３１  低温空気（一点鎖線矢印）
３２  高温空気（実線矢印）
３３  中温空気（破線矢印）
３４  熱源
３５  常用冷凍機
３６  常用冷凍機冷水ポンプ
３７，３７Ｘ，３７Ｙ  配管系統
３９  蓄熱槽
４０  蓄熱材
４５  冷水
４６，４７  閉止バルブ
４８  エア抜きバルブ
４９  水抜きバルブ
５０，５１  ダンパー
５３  水中
５５  ダクト系統
【図１】
2012072975.tif 000003
【図２】
2012072975.tif 000004
【図３】
2012072975.tif 000005
【図４】
2012072975.tif 000006
【図５】
2012072975.tif 000007